(57)【要約】      （修正有）【課題】冷却効果を向上させた半導体デバイスなどの電子機器の空冷用放熱器を提供する。【解決手段】熱伝導性金属製の接触部２１、延長端２２、第一放熱部２３、第二放熱部２４から構成し、接触部から長辺側に向けて放射状に間隔を広げて放熱フィンを配置し、該接触部から延長した延長端と該接触部から短辺に向けて放熱フィンを配列する。送風ファンからの気流は図の上方から流れて、第一、第二放熱部のフィン端縁から各フィン間に送られ、これらのフィンを経て放射状に外方に向けて流出することにより、効果的に放熱する。【選択図】図２
0003143440.tif 000002
【実用新案登録請求の範囲】
【請求項１】
接触部、第一放熱部、第二放熱部を具え、
放熱器外形は、矩形型の形状であり、相対する一対の長辺と短辺によって４辺を構成し、
上記接触部は、該放熱器の上記４辺に隣接する両端面に至りその中央部分に設けられると共に、該接触部側面より外方に向けて延長した一以上の延長端を設け、
第一放熱部は、複数枚の曲折状の放熱フィンを、該接触部の外周側面より該放熱器の長辺に向けて延長して形成し、
第二放熱部は、複数枚の直線状の放熱フィンを該接触部と該延長端の外周側面より該放熱器の短辺に向けて延長して形成し、
該接触部を通じて熱を放熱器に伝え、該第一放熱部及び該第二放熱部から放熱することを特徴とする電子機器用放熱器。
【請求項２】
前記第二放熱部の放熱フィンを曲折状とし、該接触部と該延長部の側面より該放熱器の短辺に向けて延長して形成したことを特徴とする請求項1記載の電子機器用放熱器。
【請求項３】
前記接触部の端面は、該放熱器の上或いは下端面であることを特徴とする請求項1記載の電子機器用放熱器。
【請求項４】
前記延長端は円弧状或いは直線状を呈し、外方に延長して設けたことを特徴とする請求項1記載の電子機器用放熱器。
【考案の詳細な説明】
【技術分野】
【０００１】
本考案は、電子機器の冷却用放熱器の構造に関し、特に放熱器の中央より放射線状に外側に向かって延長して設置する放熱フィンを介し、全面性の多方向の風吹出し構造設計の特性を持つ放熱器の構造に関する。
【背景技術】
【０００２】
半導体技術の進歩につれ、集積回路の体積が次第に小型化してきた。集積回路が更なる多くのデータを処理できるよう、従来と同じ体積の集積回路でも、以前より数倍以上もの部品を収納できるようになった。集積回路内の部品数が多くなればなるほど、部品が作動する際に生じる熱エネルギーがますます多くなる。CPUを例に挙げると、フル稼働の際に放出する熱エネルギーは、CPUを焼損するほどであるため、集積回路の放熱装置の品質向上が最重要課題となる。
【０００３】
従来技術の放熱器は、ほぼ高い熱伝導係数の金属材質で作られている。放熱効果を高めると同時に、ファンを設けて熱の放出量を高めるほか、フィンを付加して放熱を行う。更に熱導管を通じて熱の排出を加速するなど、集積回路製品が焼損するのを防止する。
【０００４】
図1は、従来技術の矩形放熱器の立体図である。放熱器1に複数枚の放熱フィン11を具有し、該放熱器1の長辺方向に水平且つ均等な間隔で配列する。また、該放熱器1の底部に台座12を設け、発熱源1Aと直接接触することで、熱を該放熱器1の本体に伝え、放熱フィン11を介して熱を放出する。しかしながら、台座12が熱を放熱器1に伝え、フィン11から放熱するため、熱はフィンとフィンとの僅かな隙間111より、外側に熱源を放出することしかできない。放熱フィン11自身の放熱面積が不足し、且つフィン11同士の隙間111が狭く、水平に両側方向に設けているため、従来技術の放熱器1は水平方向にのみ熱を外側に拡散する放熱スペースを具有するため、熱排出効率が悪く、放熱不良であるため、熱が放熱器1に滞ってしまうことにより、放熱効果がダウンし、最悪の場合、発熱源1Aが高温により焼損する現象が生じる。
【０００５】
従来技術のデメリットは：1.放熱面積が過小である、2.排出する熱の出口が小さく、両側方向の空気の流通のみ、3.放熱効率が悪い、4.熱エネルギーが放熱器或いは発熱源に滞りやすいなどの問題があるため、上述の技術を改善する必要があった。
【特許文献１】実公平７−４０８５８号公報
【特許文献２】登録実用新案第２５５２８２８号公報
【考案の開示】
【考案が解決しようとする課題】
【０００６】
前記従来技術の欠点を解決するため、本考案は曲折状及び直線状の放熱フィンを放熱器の中央に設置し、外側に延長して放熱部を構成することで、放熱器の放熱面積を増加すると同時に、全面性の多方向の風吹出し構造設計を具有し、熱が十分に外側に拡散し、大幅に放熱効果をアップする放熱器の構造改良を提供することを主な課題とする。
【課題を解決するための手段】
【０００７】
前記の課題を解決するために、本考案は以下の放熱器を提供する。該放熱器外形は矩形状であり、対応する長辺及び短辺を具有する。該放熱器の端面中央部分に接触部を設け、該接触部は外側に少なくとも一つの延長端を延長して設ける。該延長端を介し、放熱器を第一放熱部及び第二放熱部に分ける。該第一放熱部は数枚の曲折状を呈す放熱フィンが、該接触部の外周側面から該放熱器の長辺に向かって延長して構成する。該第二放熱部は数枚の直線状を呈す放熱フィンが、該接触部と該延長端の側壁面から該放熱器の短辺に向かって延長して構成する。曲折状及び直線状のデザインを持つ放熱フィンで構成する放熱器は、同サイズの放熱器よりも放熱面積が多くなる。また、それにより該放熱器はこれらの全外周方向への風吹出し特性を具有するため、大幅に放熱効果をアップすることができる。メリットは：1.広い放熱面積を具有する、2.放熱効率が良い、3、熱放出スピードが速く、熱エネルギーが滞らない、4.全面的多方向の放熱効果を具有する、5.放熱気流を導くことで、スムーズに流動する。
【考案の効果】
【０００８】
本考案は、曲折状及び直線状のデザインを持つ放熱フィンで構成する放熱器の設置により、同じサイズの放熱器よりも放熱面積が多くなる。また、それにより該放熱器は全面多方向の風吹出し特性を具有するため、大幅に放熱効果をアップすることができる。
【考案を実施するための最良の形態】
【０００９】
本考案による放熱器の構造を明確に示すために図に沿って詳細な説明を行う。
図2及び図3に示すように、放熱器2の外形は矩形の形状であり、対応する長辺2a及び短辺2bを具有し、該放熱器2の上端面2c或いは下端面2d中央部に接触部21を設け、該接触部21は外側に向かって少なくとも一つの延長端22を延長し、該延長端22により放熱器2を第一放熱部23及び第二放熱部24に分ける。該第一放熱部23は数枚の曲折状の放熱フィン231が、該接触部21の周囲より該放熱器2の長辺2aに向かって延長して構成する。該第二放熱部24は数枚の直線状の放熱フィン241が、該接触部21と延長端22の周囲より該放熱器2の短辺2bに向かって延長して構成する。該第一放熱部23及び第二放熱部24の組合せ構造により、大幅に放熱器2の放熱面積を増やし、及び全面性の多方向の風吹出し構造設計を具有することで、放熱効果が大幅にアップする。本考案は曲折状及び直線状の放熱フィンによって構成する放熱部により、放熱器本体の放熱面積を増加し、多方向の風吹き出し構造により、確実に放熱器の放熱効率不良により生じる様々な問題を改善する。
【００１０】
図4、図5に示すように、該第二放熱部24は数枚の直線状の放熱フィン241が、該接触部21と該延長端22の周囲より外側に向かって延長して構成している。延長端22を介し、該放熱器2を数等分に区分けする。本実施例では4等分に分けているが、二等分、六等分、八等分など特別に制限を設けない。
【００１１】
該第一放熱部23及び第二放熱部24は曲折状及び直線状の放熱フィンを使用し、放射線状にそれぞれ接触部21及び延長端22より該放熱器2の長辺2a及び短辺2bより延長して設置する。接触部21から長辺2aまでの距離が比較的短いが、第一放熱部23は放熱フィン231を曲折して長辺2aに向けて延長することにより、比較短い距離でも長く延長することができると同時に、放熱フィン231の放熱面積を増加することができる。また、第二放熱部24の直線状放熱フィン241の長さは接触部21と延長端22から短辺2bまでであり、比較的長く距離を延長することができるが、第一放熱部23の曲折状の放熱フィン231で延長することもできる。該放熱器2は、放熱ファン(図に未掲載)が生じる放熱気流3を受けて放熱を行う。放熱気流3は、該第一放熱部23に対し、放熱を行う場合、第一放熱部23の曲折状放熱フィン231に導かれて該放熱気流3は放熱フィン231の端面から放熱フィン231の放熱面2311より入る。放熱フィン231は曲折状であり、放熱ファン(図に未掲載)の生じる放熱気流3の角度に合致するため、放熱フィン231の放熱面2311は完全に放熱気流3の放熱効果を受けることができる。また、放熱気流3は熱を放熱フィン231の外側端部分より外に流すことで、放熱効果が得られる。また、放熱気流3が該第二放熱部24に対して放熱を行うときは、該放熱フィン241に導かれて、素早く該放熱フィン241の外側に熱を流すことができる。該延長端22は円弧状或いは直線状に外側に向かって延長して設置できる。延長端22を通じて、第一放熱部23と第二放熱部24の放熱フィン231と放熱フィン241を四等分に分ける。また、該放熱フィン231と放熱フィン241は該放熱器外側の長辺2aと短辺2bより放射線状に延長しているため、該放熱フィン231と放熱フィン241を介し、放熱気流3を四つの異なる方向へ素早く外側に流す。放熱気流3を通じて放熱を行うだけでなく、同時に放熱気流3が外側に拡散するのを確実にコントロールすることができるため、十分に放熱の効果に達し、熱源が放熱器2に滞ることがなく、ベストな放熱効果を得ることができる。
【００１２】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【図面の簡単な説明】
【００１３】
【図１】従来技術の矩形放熱器の立体図である。
【図２】本考案の最良実施例の立体図である。
【図３】本考案の最良実施例の別の立体図である。
【図４】本考案の最良実施例の構造略図である。
【図５】本考案の第二実施例の構造略図である。
【符号の説明】
【００１４】
1.放熱器
2a  長辺
2b  短辺
2c  上端面
2d  下端面
21接触部
22延長端
23第一放熱部
231放熱フィン
2311放熱面
24第二放熱部
241放熱フィン
3  放熱気流
【図１】
0003143440.tif 000003
【図２】
0003143440.tif 000004
【図３】
0003143440.tif 000005
【図４】
0003143440.tif 000006
【図５】
0003143440.tif 000007